(57)【要約】【課題】１回のプリント設定において複数のお試し後処理設定を行うことができるようにする。【解決手段】プリント設定画面を表示するプリント設定画面表示手段と、前記プリント設定画面表示手段によって表示されたプリント設定画面において、お試し後処理モードが指定されると、お試し後処理設定UIを表示するお試し後処理設定ＵＩ表示手段と、前記お試し後処理設定ＵＩ表示手段によって表示されたお試し後処理設定ＵＩ画面において、複数の後処理方法を一括指定する一括指定手段とを設け、「設定→印刷→後処理」という処理を繰り返し実行することなく、複数のお試し印刷、及びお試し後処理を実行できるようにする。【選択図】図１
2008152472.tif 000002
【特許請求の範囲】
【請求項１】
印刷後処理機能を備えた外部装置と通信可能であり、印刷用の印刷データを生成する情報処理装置であって、
印刷装置において実行される印刷処理の設定情報を設定するためのプリント設定画面を表示するプリント設定画面表示手段と、
前記プリント設定画面表示手段によって表示されたプリント設定画面を介してお試し後処理の実行を指示する指示手段と、
前記指示手段によってお試し後処理の実行が指示された場合、複数の後処理方法を含む後処理指示書を生成する生成手段とを備えたことを特徴とする情報処理装置。
【請求項２】
前記生成手段は、複数のお試し後処理方法および印刷命令を包括したジョブチケットを生成し、
前記生成手段により生成されたジョブチケットをデバイスに送付するジョブチケット送付手段を更に備えたことを特徴とする請求項１に記載の情報処理装置。
【請求項３】
複数の後処理方法を含む後処理指示書および印刷データを生成する情報処理装置と通信可能な印刷装置であって、
お試し後処理方法を識別するための識別情報を出力物に印刷する印刷手段と、
お試し後処理の実行後、前記印刷手段により印刷された識別情報の入力に従って、本印刷で使用する後処理デバイス、後処理方法を前記複数の後処理方法から決定する決定手段とを備えたことを特徴とする印刷装置。
【請求項４】
お試し後処理終了通知を後処理機能を備えたデバイスから受信した場合に、お試し後処理設定画面をコンソールに表示する表示手段を更に有し、
前記決定手段は、前記コンソールに表示されたお試し後処理設定画面に入力された識別情報に従って本後処理方法を決定することを特徴とする請求項３に記載の印刷装置。
【請求項５】
前記決定手段は、お試し後処理設定画面で後処理方法を設定させる際に、１つの後処理
方法を複数の異なる後処理デバイスに対して設定可能とする機能、及び１つの後処理方法を複数の異なる後処理デバイスで順次処理するように設定する機能を有することを特徴とする請求項４に記載の印刷装置。
【請求項６】
前記決定手段は、お試し後処理設定画面で後処理方法を設定させる際に、複数の後処理方法を同じ後処理デバイスで処理するように設定可能とする機能、及び複数の後処理方法を同じ後処理デバイスで処理するように設定する機能を有することを特徴とする請求項４に記載の印刷装置。
【請求項７】
お試し後処理情報テーブルを作成する作成手段を更に有し、
前記作成手段により作成したお試し後処理情報テーブルにおいて、各デバイスのお試し後処理の進捗状況を管理することを特徴とする請求項３〜６の何れか１項に記載の印刷装置。
【請求項８】
前記お試し後処理設定画面で本後処理方法が確定された場合、お試し後処理を終了していないデバイスに対してお試し後処理中止命令を発行する発行手段を更に有することを特徴とする請求項３〜７の何れか１項に記載の印刷装置。
【請求項９】
前記発行手段は、前記中止命令を発行する際に、前記お試し後処理情報テーブルを参照し、お試し後処理を終了していないデバイスを特定することを特徴とする請求項８に記載の印刷装置。
【請求項１０】
請求項３〜９の何れか１項に記載の印刷装置から移送されたお試し印刷物に記載された内容に従ってお試し後処理を行うお試し後処理手段と、
前記お試し後処理手段によるお試し後処理が終了した時に、前記お試し印刷物を送信した印刷装置にお試し後処理終了通知を送付する後処理終了通知送付手段とを有することを特徴とする後処理装置。
【請求項１１】
請求項１または２に記載の情報処理装置と、請求項３〜９の何れか１項に記載の印刷装置と、請求項１０に記載の後処理装置とを有することを特徴とする情報処理システム。
【請求項１２】
印刷後処理機能を備えた外部装置と通信可能であり、印刷用の印刷データを生成する情報処理装置の制御方法であって、
印刷装置において実行される印刷処理の設定情報を設定するためのプリント設定画面を表示するプリント設定画面表示工程と、
前記プリント設定画面表示工程において表示されたプリント設定画面を介してお試し後処理の実行を指示する指示工程と、
前記指示工程においてお試し後処理の実行が指示された場合、複数の後処理方法を含む後処理指示書を生成する生成工程とを備えたことを特徴とする情報処理装置の制御方法。
【請求項１３】
前記生成工程は、複数のお試し後処理方法および印刷命令を包括したジョブチケットを生成し、
前記生成工程において生成されたジョブチケットをデバイスに送付するジョブチケット送付工程を更に備えたことを特徴とする請求項１２に記載の情報処理装置の制御方法。
【請求項１４】
複数の後処理方法を含む後処理指示書および印刷データを生成する情報処理装置と通信可能な印刷装置の制御方法であって、
お試し後処理方法を識別するための識別情報を出力物に印刷する印刷工程と、
お試し後処理の実行後、前記印刷工程において印刷された識別情報の入力に従って、本印刷で使用する後処理デバイス、後処理方法を前記複数の後処理方法から決定する決定工程とを備えたことを特徴とする印刷装置の制御方法。
【請求項１５】
お試し後処理終了通知を後処理機能を備えたデバイスから受信した場合に、お試し後処理設定画面をコンソールに表示する表示工程を更に有し、
前記決定工程は、前記コンソールに表示されたお試し後処理設定画面に入力された識別情報に従って本後処理方法を決定することを特徴とする請求項１４に記載の印刷装置の制御方法。
【請求項１６】
前記決定工程は、お試し後処理設定画面で後処理方法を設定させる際に、１つの後処理
方法を複数の異なる後処理デバイスに対して設定可能とする機能、及び１つの後処理方法を複数の異なる後処理デバイスで順次処理するように設定する機能を有することを特徴とする請求項１５に記載の印刷装置の制御方法。
【請求項１７】
前記決定工程は、お試し後処理設定画面で後処理方法を設定させる際に、複数の後処理方法を同じ後処理デバイスで処理するように設定可能とする機能、及び複数の後処理方法を同じ後処理デバイスで処理するように設定する機能を有することを特徴とする請求項１５に記載の印刷装置の制御方法。
【請求項１８】
お試し後処理情報テーブルを作成する作成工程を更に有し、
前記作成工程において作成したお試し後処理情報テーブルにおいて、各デバイスのお試し後処理の進捗状況を管理することを特徴とする請求項１４〜１７の何れか１項に記載の印刷装置の制御方法。
【請求項１９】
前記お試し後処理設定画面で本後処理方法が確定された場合、お試し後処理を終了していないデバイスに対してお試し後処理中止命令を発行する発行工程を更に有することを特徴とする請求項１４〜１８の何れか１項に記載の印刷装置の制御方法。
【請求項２０】
前記発行工程は、前記中止命令を発行する際に、前記お試し後処理情報テーブルを参照し、お試し後処理を終了していないデバイスを特定することを特徴とする請求項１９に記載の印刷装置の制御方法。
【請求項２１】
請求項１４〜２０の何れか１項に記載の印刷装置から移送されたお試し印刷物に記載された内容に従ってお試し後処理を行うお試し後処理工程と、
前記お試し後処理工程におけるお試し後処理が終了した時に、前記お試し印刷物を送信した印刷装置にお試し後処理終了通知を送付する後処理終了通知送付工程とを有することを特徴とする後処理装置の制御方法。
【請求項２２】
請求項１２または１３に記載の情報処理装置の制御方法と、請求項１４〜２０の何れか１項に記載の印刷装置の制御方法と、請求項２１に記載の後処理装置の制御方法とを有することを特徴とする情報処理システムの制御方法。
【請求項２３】
印刷装置において実行される印刷処理の設定情報を設定するためのプリント設定画面を表示するプリント設定画面表示工程と、
前記プリント設定画面表示工程において表示されたプリント設定画面を介してお試し後処理の実行を指示する指示工程と、
前記指示工程においてお試し後処理の実行が指示された場合、複数の後処理方法を含む後処理指示書を生成する生成工程とをコンピュータに実行させることを特徴とするプログラム。
【請求項２４】
お試し後処理方法を識別するための識別情報を出力物に印刷する印刷工程と、
お試し後処理の実行後、前記印刷工程において印刷された識別情報の入力に従って、本印刷で使用する後処理デバイス、後処理方法を前記複数の後処理方法から決定する決定工程とをコンピュータに実行させることを特徴とするプログラム。
【請求項２５】
印刷装置から移送されたお試し印刷物に記載された内容に従ってお試し後処理を行うお試し後処理工程と、
前記お試し後処理工程におけるお試し後処理が終了した時に、前記お試し印刷物を送信した印刷装置にお試し後処理終了通知を送付する後処理終了通知送付工程とをコンピュータに実行させることを特徴とするプログラム。
【請求項２６】
請求項２３に記載の各工程と、請求項２４に記載の各工程と、請求項２５に記載の各工程とをコンピュータに実行させることを特徴とするプログラム。
【請求項２７】
請求項２３〜２６の何れか１項に記載のプログラムを記憶したことを特徴とするコンピュータ読み取り可能な記憶媒体。
【発明の詳細な説明】
【技術分野】
【０００１】
本発明は情報処理装置、印刷装置、後処理装置及び情報処理システムに関し、特に、複数の工程からなる画像形成処理を行うシステムに用いて好適な技術に関する。
【背景技術】
【０００２】
従来、第三者（顧客、クライアント）から印刷物（雑誌、新聞、カタログ、広告、グラビア等）の作成依頼を受注し、該クライアントの所望の印刷物を作成し、それを該クライアントに納品することでクライアントから報酬を得る市場が出現している。
【０００３】
例えば、商業的印刷業界では、電子写真方式の印刷装置やインクジェット方式の印刷装置の高速化及び高画質化に伴い、複写機やデジタル複合機等のデジタル画像形成装置の機能を最大限に活用するようにしている。このようにして、電子データを用いたディジタルプリントを実現するプリント・オン・ディマンド（ＰＯＤ：print on demand）と呼ばれるデジタル市場が出現している。
【０００４】
このようなＰＯＤ市場では、印刷物を生成するために、複数の情報処理装置、及び複数のデジタル画像形成装置といったデジタル機器により構成される画像形成システムが使用されている。そして、顧客から提供される入稿ドキュメントから最終製品である印刷物を作成するまでの工程がコンピュータにより管理されている。
【０００５】
一般的に、このような画像形成システムでは、最終成果物である、印刷物の形態が複数存在する。そのため、顧客が満足する印刷物を得るためには、複数の最終印刷物を、繰り返し、試し印刷している。また、製本などの試し後処理を実施してみて、その中から最適と思われる印刷物を選択する工程が設けられることがある。以降、最終印刷物を試し印刷することを「お試し印刷」、最終印刷物を試し後処理することを「お試し後処理」と記載する。
【０００６】
お試し印刷機能を提供する方法としては、例えば、特許文献１に記載のように、上位機から転送された印刷データをページバッファに格納し、試し印刷実行手段により試し印刷を実行した後のプリンタ部の停止中に試し印刷の結果を確認する。
【０００７】
続いて、本印刷実行手段により本印刷に移行することにより、上位機からの印刷データの受信操作と、プリンタ部での条件設定操作とを１回で済ませ、上位機に印刷データを要求する操作回数を少なくする。また、それとともに印刷データの転送時間を短縮し、さらに、試し印刷の結果、欠陥を発見した場合にはリセット手段により印刷の再開を停止させて用紙の浪費を防止する方法が提案されている。
【０００８】
【特許文献１】特開平７−２９９９３６号公報
【発明の開示】
【発明が解決しようとする課題】
【０００９】
しかしながら、上述した従来技術では、画像形成システムにおいて１回の設定処理で実行可能な、お試し印刷、及びお試し後処理が１つに限定されていた。そのため、複数のお試し印刷、及びお試し後処理を実行するためには、「設定→印刷→後処理」という処理を繰り返し実行する必要があり、処理が煩雑になるという問題点があった。
【００１０】
本発明は前述の問題点にかんがみ、１回のプリント設定において複数のお試し後処理設定を行うことで、処理の効率化を図ることを目的としている。
【課題を解決するための手段】
【００１１】
本発明の情報処理装置は、印刷後処理機能を備えた外部装置と通信可能であり、印刷用の印刷データを生成する情報処理装置であって、印刷装置において実行される印刷処理の設定情報を設定するためのプリント設定画面を表示するプリント設定画面表示手段と、前記プリント設定画面表示手段によって表示されたプリント設定画面を介してお試し後処理の実行を指示する指示手段と、前記指示手段によってお試し後処理の実行が指示された場合、複数の後処理方法を含む後処理指示書を生成する生成手段とを備えたことを特徴とする。
【００１２】
本発明の印刷装置は、複数の後処理方法を含む後処理指示書および印刷データを生成する情報処理装置と通信可能な印刷装置であって、お試し後処理方法を識別するための識別情報を出力物に印刷する印刷手段と、お試し後処理の実行後、前記印刷手段により印刷された識別情報の入力に従って、本印刷で使用する後処理デバイス、後処理方法を前記複数の後処理方法から決定する決定手段とを備えたことを特徴とする。
【００１３】
本発明の後処理装置は、印刷装置から移送されたお試し印刷物に記載された内容に従ってお試し後処理を行うお試し後処理手段と、前記お試し後処理手段によるお試し後処理が終了した時に、前記お試し印刷物を送信した印刷装置にお試し後処理終了通知を送付する後処理終了通知送付手段とを有することを特徴とする。
【００１４】
本発明の情報処理システムは、前記に記載の情報処理装置と、前記に記載の印刷装置と、前記に記載の後処理装置とを有することを特徴とする。
【００１５】
印刷装置の制御方法は、印刷後処理機能を備えた外部装置と通信可能であり、印刷用の印刷データを生成する情報処理装置の制御方法であって、印刷装置において実行される印刷処理の設定情報を設定するためのプリント設定画面を表示するプリント設定画面表示工程と、前記プリント設定画面表示工程において表示されたプリント設定画面を介してお試し後処理の実行を指示する指示工程と、前記指示工程においてお試し後処理の実行が指示された場合、複数の後処理方法を含む後処理指示書を生成する生成工程とを備えたことを特徴とする。
また、本発明の印刷装置の制御方法の他の特徴とするところは、複数の後処理方法を含む後処理指示書および印刷データを生成する情報処理装置と通信可能な印刷装置の制御方法であって、お試し後処理方法を識別するための識別情報を出力物に印刷する印刷工程と、お試し後処理の実行後、前記印刷工程において印刷された識別情報の入力に従って、本印刷で使用する後処理デバイス、後処理方法を前記複数の後処理方法から決定する決定工程とを備えたことを特徴とする。
【００１６】
本発明のプログラムは、印刷装置において実行される印刷処理の設定情報を設定するためのプリント設定画面を表示するプリント設定画面表示工程と、前記プリント設定画面表示工程において表示されたプリント設定画面を介してお試し後処理の実行を指示する指示工程と、前記指示工程においてお試し後処理の実行が指示された場合、複数の後処理方法を含む後処理指示書を生成する生成工程とをコンピュータに実行させることを特徴とする。
また、本発明のプログラムの他の特徴とするところは、お試し後処理方法を識別するための識別情報を出力物に印刷する印刷工程と、お試し後処理の実行後、前記印刷工程において印刷された識別情報の入力に従って、本印刷で使用する後処理デバイス、後処理方法を前記複数の後処理方法から決定する決定工程とをコンピュータに実行させることを特徴とする。
また、本発明のプログラムのその他の特徴とするところは、印刷装置から移送されたお試し印刷物に記載された内容に従ってお試し後処理を行うお試し後処理工程と、前記お試し後処理工程におけるお試し後処理が終了した時に、前記お試し印刷物を送信した印刷装置にお試し後処理終了通知を送付する後処理終了通知送付工程とをコンピュータに実行させることを特徴とする。
【発明の効果】
【００１７】
本発明によれば、１回のプリント設定において複数のお試し後処理設定を行うことが可能となり、１回のプリント設定を行うだけで複数のお試し後処理結果を得ることが可能な画像形成システムを提供することができる。これにより、ユーザの使い勝手を向上させることができる。
【発明を実施するための最良の形態】
【００１８】
（第１の実施形態）
以下、添付図面を用いて、本発明に係る実施形態を詳細に説明する。
〔システムの概要説明〕
図１は、本発明の第１の実施形態を示し、画像形成システムの構成の一例を示すブロック図である。
図１に示すように、本実施形態の画像形成システムを構成する各装置はネットワーク１０１で接続されている。このネットワーク１０１は一系統であってもよく、複数系統であってもよい。
【００１９】
図１において、１０２は情報処理装置である。情報処理装置１０２は、印刷装置及び後処理装置に、印刷処理及び後処理を実行させるために必要な各種処理パラメータを設定させるための画面をユーザに提供する機能を有している。さらに、ユーザが設定した情報に従い、各種JOBを生成する機能、各種JOBを各種デバイスに送信して、JOBに記載された処理を実行させる機能を有している。
【００２０】
例えば、情報処理装置１０２は、印刷処理及び後処理を実行させるデバイスの設定、用紙サイズの設定、ページレイアウトの設定、印刷方法の設定、印刷品質の設定、後処理方法の設定、お試し印刷の設定、お試し後処理の設定等を行うことができる。そして、そのための各種処理パラメータを設定させるための画面をユーザに提供し、ユーザが当該画面において設定した情報に従い、お試し印刷／お試し後処理＋本印刷／本後処理を含んだジョブチケットを生成し、デバイスに送信して処理を実行させる。
【００２１】
また、情報処理装置１０２は、自身が具備する通信ユニットと各デバイス（画像形成装置、シート処理装置等を含む）が具備する通信ユニット等を用いている。そして、ジョブの受け付け状況に関する情報や、デバイスのステータス（動作状況、エラー状況など）に関する情報や、ジョブの処理状況に関わるジョブ進捗情報等の各種のデータを、ネットワーク１０１等の通信媒体経由で、各デバイスから獲得するようにしている。このようにすることで、各デバイス及び本システムにおける処理対象のジョブを把握し、各ジョブの工程を管理することができる。
【００２２】
次に、情報処理装置１０２の機能の一例を、図２〜図５を用いて説明する。
ユーザが情報処理装置１０２のプリント設定画面を操作して、お試し後処理モードを選択すると、情報処理装置１０２は、図２〜図５で示される、お試し印刷／後処理設定画面を表示する。
【００２３】
図２は、情報処理装置１０２が表示する、"お試し印刷／後処理設定メイン画面"の一例を示す図である。
図２において、２０１は、現在の設定状況を画像イメージで表示するための"お試し後処理結果表示領域"、２０２は"とじ方向設定用プルダウンリストボックス"で、長辺閉じ（左）、長辺閉じ（右）が選択可能となっている。
【００２４】
２０３は"排紙方法設定用プルダウンリストボックス"で、ステイプル、くるみ製本が選択可能となっている。２０４は"ステイプル位置設定ボタン"である。２０５はユーザが設定した、複数のお試し後処理を表示するための、"お試し後処理設定情報表示領域"で、お試し後処理実行デバイス、及びお試し後処理方法が表示されている。２０６は、お試し後処理設定情報表示領域で選択されているお試し後処理設定を解除するための、"お試し後処理削除ボタン"である。また、２０７はユーザが設定したお試し印刷／後処理設定を確定させるための"ＯＫボタン"、２０８は設定を解除するための"キャンセルボタン"である。
【００２５】
図３、図４及び図５は、ユーザが"ステイプル位置設定ボタン"２０４をクリックした場合に表示される、"ステイプル位置指定画面"の一例を示す図である。
図３、図４及び図５において、３０１、４０１、５０１は、現在の設定状況を画像イメージで表示するための"ステイプル位置表示領域"である。
【００２６】
また、３０２、４０２、５０２は"ステイプル位置設定領域"であり、ユーザは、画面に表示されているステイプル位置設定用ラジオボタンのいずれかを選択／設定する。設定用ラジオボタンは、図２のお試し印刷／後処理設定メイン画面の"とじ方向設定用プルダウンリストボックス"の設定内容に従って３０２、及び４０２のように変化する。
【００２７】
３０３、４０３、５０３は、"お試し後処理デバイス設定領域"である。情報処理装置１０２は、システムに存在するステイプル可能なデバイスを検索して、当該領域に表示する。当該領域において、ユーザがお試し後処理デバイスをクリックすると、背景色が反転し、後処理デバイスが選択されて設定される。
【００２８】
３０４、４０４、５０４、は、"お試し設定"確定ボタンで、ユーザが当該ボタンをクリックすると設定内容が確定される。そして、図３から図５の"ステイプル位置指定画面"は、クローズされ、ユーザが設定した内容が図２の"お試し印刷／後処理設定メイン画面の"お試し後処理設定情報表示領域"２０５に表示される。
【００２９】
３０５、４０５、５０５は"キャンセルボタン"でユーザが、当該ボタンをクリックすると、設定した内容が無効になり図３から図５の"ステイプル位置指定画面"がクローズされる。
３０６、４０６、５０６は図３から図５の"ステイプル位置指定画面"の使用方法を説明したヘルプファイルを呼び出すための"ヘルプボタン"である。
【００３０】
図２〜図５において、ユーザがお試し印刷／後処理設定デバイス、及びお試し印刷／後処理設定方法を設定して、印刷を指示すると、情報処理装置１０２は、複数のお試し印刷／後処理命令と本印刷／後処理命令を包括したジョブチケットを１つ生成する。そして、当該ジョブチケットが、印刷デバイス、及び第１の後処理デバイス１０４、第２の後処理デバイス１０５に送付される。この時、情報処理装置１０２は、複数のお試し後処理JOBID、本印刷JOBID、包括JOBIDをジョブチケットに記載する。
【００３１】
図６は、情報処理装置１０２が送付する、ジョブチケットの一例を表した図である。
図６において、６０１はJOB情報記載領域であり、お試し後処理JOBID、本印刷JOBID、包括JOBIDが記載されている。
【００３２】
６０２はお試し後処理情報記載領域であり、お試し後処理で使用する印刷デバイス、後処理デバイス、印刷方法、後処理方法が記載されている。本実施形態では、お試し後処理情報記載領域６０２に、お試し後処理JOB数、お試し後処理JOBID、印刷デバイス、印刷タイプ、印刷品位、ページ数、用紙サイズ、用紙種別、部数、後処理デバイス、後処理方法が記載されている。
【００３３】
６０３は本印刷情報記載領域であり、本印刷処理で使用する印刷デバイス、後処理デバイス、印刷方法、後処理方法が記載されている。本実施形態では、本印刷情報記載領域６０３に、印刷デバイス、印刷タイプ、印刷品位、ページ数、用紙サイズ、用紙種別、部数、後処理デバイス、後処理方法が記載されている。
【００３４】
図１の説明に戻る。１０３は、コンピュータ等の外部装置から提供される電子データを印刷する機能を備えた印刷デバイスである。本実施形態の印刷デバイス１０３は、情報処理装置１０２から送信されたジョブチケットに従って印刷処理を実行する。また、本実施形態の印刷デバイス１０３は、印刷された記録紙を加工する機能を有している。
【００３５】
なお、記録紙を加工する機能とは、例えば、丁合処理された記録紙の中央真中部分にステイプルユニットによりステイプル処理を施したり、丁合処理された記録紙束の背の部分を特製のりで接着したり、表紙でくるんでプレス成形したりする機能を指す。
【００３６】
次に、図７〜図１１を用いて印刷デバイス１０３の機能の一例を説明する。
本実施形態の印刷デバイス１０３は、情報処理装置１０２からジョブチケットを受信すると、お試し後処理情報テーブルを作成して、複数のお試し後処理の内容を記録しておく機能、後処理装置における後処理の進捗状況を監視する機能を備えている。また、管理テーブルに記録された情報に基づいて、後処理デバイスに対して、お試し後処理中止命令を発行する機能を備えている。
【００３７】
図７は、印刷デバイス１０３が作成する、"お試し後処理情報テーブル"の一例を示す図である。
図７において、７０１は、包括JOBID保存領域、７０２は、本印刷JOBID保存領域、７０３は、お試し後処理JOBID保存領域、７０４は、お試し後処理デバイス名保存領域、７０５は、お試し後処理方法保存領域である。７０６は、お試し印刷物を識別するドラフトID保存領域、７０７は、お試し後処理の進捗状況を監視管理するために使用する、終了ステータス保存領域である。なお、本実施形態の印刷デバイス１０３は、お試し後処理方法を識別するためのドラフトIDを出力物に印刷して、お試し印刷を実行する機能を備えている。なお、ドラフトＩＤとは、後処理方法を識別するための情報でもあるので、単に識別情報と記載される場合もある。
【００３８】
図８は（ａ）〜（ｃ）は、印刷デバイス１０３が出力した、表紙に図７にて上述したドラフトＩＤが印刷された、お試し印刷物の一例を示す図である。
本実施形態の印刷デバイス１０３は、第１の後処理デバイス１０４により発行された、お試し後処理終了通知を受信した際に、お試し後処理設定画面をコンソールに表示する。そして、ユーザに本後処理方法を選択、確定させる機能、及びユーザが選択、確定させた本後処理方法に従って、後処理方法、後処理デバイスを記載した、ジョブチケットを生成して、選択された後処理デバイスに送付する機能を備えている。
【００３９】
図９は、印刷デバイス１０３が、自身のコンソール画面に表示する、お試し後処理設定画面の一例を示す図であり、このお試し後処理設定画面に必要な項目を入力してお試し後処理の確定を行う。
図９において、９０１は、本印刷で使用する、後処理方法を設定するためのドラフトID入力用テキストボックス、９０２は、入力されたドラフトIDを確定させるための"OKボタン"である。
【００４０】
ユーザが、複数のお試し印刷物の中から、本後処理で使用する後処理を選択した後、当該お試し印刷物に印刷されているドラフトIDを、ドラフトID入力テキストボックス９０１に入力する。そして、OKボタン９０２をクリックすると、印刷デバイス１０３はユーザが選択、確定させた後処理方法に従って、後処理方法及び後処理デバイスを記載した、ジョブチケットを生成して、選択された後処理デバイスに送付する。
【００４１】
例えば、ユーザが、図８の（ａ）から（ｃ）に記載された３種類のお試し印刷物の中から（ｂ）を選択した場合、ユーザはコンソール画面を介して図９の９０１に「ＩＤ：０００２」を入力する。そして、ＯＫボタン９０２を選択することで、印刷デバイス１０３は、左辺（２カ所）のステイプル処理を行う後処理方法および当該後処理を実行する後処理デバイスを記載したジョブチケットを生成する。
【００４２】
図１０は、印刷デバイス１０３がコンソール画面に表示する、お試し後処理設定画面の他の実施形態を示す図である。
図１０において、１００１は、後処理情報表示領域であり、この領域にドラフトID、後処理デバイス、後処理方法、に関する状況が表示されている。１００２は、後処理情報表示領域に表示されている特定の後処理を選択するための選択ボタンである。ユーザが後処理情報表示領域１００１に記載されている情報を参照して、複数のお試し印刷物の中から、本後処理で使用する後処理を選択した後、対応する選択ボタン１００２をクリックする。すると、印刷デバイス１０３は、ユーザが選択、確定させた後処理方法に従って、後処理方法及び後処理デバイスを記載した、ジョブチケットを生成して、選択された後処理デバイスに送付する。
【００４３】
図１１は、印刷デバイス１０３が生成する、本印刷／後処理のためのジョブチケットの一例を示す図である。つまり、図９または図１０により本番用の後処理が確定した際に生成されるジョブチケットの一例である。
図１１において、１１０１は、JOB情報記載領域で、本印刷JOBID、包括JOBIDが記載されている。１１０２は本印刷処理情報記載領域であり、印刷デバイス、第１の後処理デバイス、第２の後処理デバイス、印刷方法、後処理方法が記載されている。本実施形態では、当該領域に、本印刷JOBID、印刷デバイス、印刷タイプ、印刷品位、ページ数、用紙サイズ、用紙種別、部数、後処理デバイス、後処理方法が記載されている。
【００４４】
印刷された記録紙を加工する機能を備えた第１の後処理デバイス１０４、及び第２の後処理デバイス１０５は、情報処理装置１０２から送信されたジョブチケットに従って処理を実行する機能を有する。例えば、丁合処理された記録紙を、該記録紙の中央真中部分にステイプルユニットによりステイプル処理を実行する機能を有している。また、丁合処理された記録紙束の背の部分を特製のりで接着し、表紙で包んでプレス成形する処理を実行するくるみ製本機能を有している。
【００４５】
また、第１の後処理デバイス１０４、第２の後処理デバイス１０５は、お試し後処理モードを備えている。このモードで動作中の場合、お試し後処理が終了すると印刷デバイス１０３に、自分が処理したお試し後処理JOBIDを送付して、お試し後処理終了を通知する機能、及び印刷デバイス１０３から発行されたお試し後処理中止命令に従い、お試し後処理を中止する。なお、お試し後処理JOBIDは、図６の６０２に記述されているので、後処理デバイスは、図６の６０２に基づいておためし後処理JOBIDを印刷デバイスに送信することが可能となる。
【００４６】
〔処理の概要説明〕
図１２は、各デバイスで実施される処理、及び各デバイス間の処理の遷移を表した、処理シーケンス図である。
図１２に記載されている、処理について説明する。
まず、情報処理装置１０２において、ユーザが、プリント設定画面を操作して、お試し後処理モードを指定すると情報処理装置１０２は、図２のお試し後処理設定UIを表示する。
【００４７】
次に、ユーザが、お試し後処理設定UIで、複数の後処理方法を指定して印刷を実行すると、情報処理装置１０２は、複数のお試し印刷／後処理命令と本印刷／後処理命令を包括した例えば図３のジョブチケットを１つ生成する。そして、情報処理装置は、当該ジョブチケットを印刷デバイス１０３、及び第１の後処理デバイス１０４、第２の後処理デバイス１０５に送付する。この時、情報処理装置１０２は、ジョブチケットに、複数のお試し後処理JOBID、本印刷JOBID、包括JOBIDを記載する。
【００４８】
印刷デバイス１０３は、ジョブチケットを受け取ると、お試し後処理モードに移行し、ジョブチケットから情報を取得して、お試し後処理情報テーブルを生成する。次に、印刷デバイス１０３は、お試し後処理方法を識別するためのドラフトIDを出力物に印刷して、お試し印刷を実行する。
【００４９】
第１の後処理デバイス１０４、第２の後処理デバイス１０５は、ジョブチケットを受け取ると、お試し後処理モードに移行する。その後、印刷デバイス１０３から出力された印刷物が後処理装置に移送されると、例えば図３のジョブチケットに記載されている、お試し後処理を実行する。そして、お試し後処理が終了すると各後処理デバイスは、印刷デバイス１０３に、お試し後処理終了を通知する。この時、通知情報に自分が処理したお試し後処理のJOBIDを記述する。
【００５０】
印刷デバイス１０３は、お試し後処理終了通知を受信すると、お試し後処理終了情報をお試し後処理テーブルに保存した後、図９または図１０に記載したお試し後処理確定画面を自身のコンソールに表示する。
【００５１】
印刷デバイス１０３のコンソールを操作して、ユーザが、お好みのお試し後処理物のドラフトIDをコンソール画面から入力すると、印刷デバイス１０３は、お試し後処理情報テーブルを参照する。そして、未だ処理終了通知がきていない、お試し後処理実行中デバイスに対してお試し後処理中止命令を発行する。これにより、無駄な後処理を防止することが可能となる。
【００５２】
印刷デバイス１０３から発行されたお試し後処理中止命令を受信した、お試し後処理実行中のデバイスは、実行中のお試し後処理をキャンセルし、お試し後処理モードを解除し、お試し後処理を終了させる。
【００５３】
また、印刷デバイス１０３のコンソールを操作して、ユーザが、お好みのお試し後処理物のドラフトIDをコンソール画面から入力する。すると、印刷デバイス１０３は、後処理方法、後処理デバイスを記載した、例えば図１１のようなジョブチケットを生成して、選択された後処理デバイスに送付する。次に、印刷デバイス１０３は、お試し後処理画面を消去し、お試し後処理情報テーブルを削除し、お試し後処理モードを解除する。その後、印刷デバイス１０３は、本印刷処理を実行する。
【００５４】
本印刷終了後、本印刷物を後処理デバイスに移送すると、後処理装置は、本後処理を実行する。最後に、本後処理終了後、後処理デバイスは、情報処理装置１０２に処理の終了を通知する。
【００５５】
〔処理の詳細説明〕
次に、図２〜図１２、及び図１３〜図１６のフローチャートを用いて、３種類のお試し印刷／後処理を実施した後に、唯一の本印刷／後処理を実行する場合に、各デバイスで実施される処理の流れについて説明する。
【００５６】
〔情報処理装置の処理流れ〕
図１３は、情報処理装置１０２の処理の流れを説明したフローチャートである。
次に、図１３を用いて、情報処理装置１０２が、ユーザがお試し印刷／後処理を指定した内容に従いジョブチケットを生成してから、ユーザに本印刷終了を通知するまでの処理について説明する。
【００５７】
処理が開始されると、最初の、ステップＳ１３０１で、ユーザが情報処理装置１０２のプリント設定画面を操作して、お試し後処理モードを選択すると、情報処理装置１０２は、図２〜図５で示される、お試し印刷／後処理設定画面を表示する。
【００５８】
次に、ステップＳ１３０２で、情報処理装置１０２は、お試し後処理設定画面を介して選択された３種類のお試し後処理を指定する。なお、本実施形態では、お試し後処理１は、第１の後処理デバイス１０４による、長辺とじ（左）で、左上（１ケ所）のステイプル処理である。また、お試し後処理２は、第１の後処理デバイス１０４による、長辺とじ（左）で、左辺（２ケ所）のステイプル処理である。また、お試し後処理３は、第２の後処理デバイス１０５による、長辺とじ（右）で、右上（１ケ所）のステイプル処理、とする。しかしながら、これに限る必要はない。
【００５９】
次に、ステップＳ１３０３で、情報処理装置１０２は、図６で示される、包括JOBID、お試し後処理JOBID、本印刷JOBID、及びお試し後処理情報、本印刷情報が記載されたジョブチケットを生成する。そして、印刷デバイス１０３、及び第１の後処理デバイス１０４、第２の後処理デバイス１０５に送付する。
【００６０】
その後、情報処理装置１０２は、ステップＳ１３０４で、本印刷が終了するのを待ち、終了通知が届くと、ステップＳ１３０５に進んで、本印刷／後処理が終了した旨をユーザに通知する。
【００６１】
〔印刷デバイスの処理流れ〕
図１４は、印刷デバイス１０３の処理の流れを説明したフローチャートである。
次に、図１４を用いて、印刷デバイス１０３が、ジョブチケットを受信してから、本印刷を終了するまでの処理について説明する。
図１４に示したように、最初のステップＳ１４０１で、印刷デバイス１０３は、情報処理装置１０２からジョブチケットを受信すると、次のステップ１４０２で、お試し後処理モードに移行する。
【００６２】
そして、ステップＳ１４０３で、印刷デバイス１０３は、ジョブチケットに記載された情報を読み出して、図７で示される、お試し後処理情報テーブルを生成する。次に、ステップＳ１４０４で、印刷デバイス１０３は、お試し後処理方法を識別するためのドラフトIDが印刷された、お試し印刷物を３種類出力し、ステップＳ１４０５において、お試し印刷を終了する。
【００６３】
次に、ステップＳ１４０６において、印刷デバイスは、出力された３種類のお試し印刷物を、第１の後処理デバイス１０４、及び第２の後処理デバイス１０５に移送する。なお、Ｓ１４０６の処理は印刷デバイスによって実行されなくても構わない。
続いて、印刷デバイス１０３は、ステップＳ１４０７、ステップＳ１４０８で、後処理デバイスから、お試し後処理終了通知が着信するまで、お試し後処理が終了するのを待つ。
【００６４】
そして、ステップＳ１４０８において、お試し後処理終了通知が着信したと判定された場合、印刷デバイス１０３は、ステップＳ１４０９に進み、図７で示される、お試し後処理情報テーブルの終了ステータス保存領域７０７に、お試し後処理終了情報を保存する。次に、ステップＳ１４１０で、印刷デバイス１０３は、自身のコンソールに、お試し後処理確定画面が表示されているか確認する。
【００６５】
ここで、お試し後処理確定画面が表示されていない場合、印刷デバイス１０３は、ステップＳ１４１１で、コンソールに、お試し後処理確定画面を表示する。次に、ステップＳ１４１２で、印刷デバイス１０３は、お試し後処理確定画面に、終了通知があったお試し後処理情報を追加表示する。
【００６６】
一方、ステップＳ１４１０で、お試し後処理確定画面が既に表示されている場合は、ステップＳ１４１２に直接進み、お試し後処理確定画面に、処理通知があったお試し後処理情報を追加表示する。
【００６７】
次に、ステップＳ１４１３で印刷デバイス１０３は、お試し後処理情報テーブルを参照し、ステップＳ１４１４で、全てのお試し後処理が終了しているか判定する。この判定の結果、全てのお試し後処理が終了していない場合、処理はステップＳ１４０７に戻り、印刷デバイス１０３は、お試し後処理が終了するのを待つ。
【００６８】
一方、ステップＳ１４１４の判定の結果、全てのお試し後処理が終了していると判定された場合、印刷デバイス１０３は、ステップＳ１４１５、ステップＳ１４１６で、ユーザが、お試し後処理確定画面で、本後処理方法を指定するのを待つ。
【００６９】
ユーザが本後処理を指定すると、ステップＳ１４１７に進み、印刷デバイス１０３は、お試し後処理情報テーブルを参照し、次のステップＳ１４１８で、お試し後処理が終了していない後処理デバイスが存在するか否かを確認する。
【００７０】
ここで、お試し後処理終了通知を送付していないデバイスが存在する場合、印刷デバイス１０３は、ステップＳ１４１９において、お試し後処理終了通知を送付していないデバイスに対して、お試し後処理ＪＯＢ中止命令を通知する。ステップＳ１４１９の処理は、印刷デバイスは、図７の情報を用いることで、お試し後処理ＪＯＢ中止命令の通知先を決定できる。また、ステップＳ１４１８の確認の結果、お試し後処理が終了していない後処理デバイスが存在しない場合にはステップＳ１４２０に進む。
【００７１】
次に処理は、ステップＳ１４２０に進み、印刷デバイス１０３は、本後処理デバイス、本後処理方法をジョブチケットに記載して、後処理デバイスに送付する。そして、ステップＳ１４２１で、お試し後処理確定画面を消去する。次に、印刷デバイス１０３は、ステップＳ１４２２でお試し後処理情報テーブルを削除し、ステップＳ１４２３でお試し後処理モードを削除した後、ステップＳ１４２４で本印刷処理を実行する。その後、印刷デバイス１０３は、ステップＳ１４２５で本印刷物を移送し、ステップＳ１４２６で本印刷を終了し、処理を終了する。
なお、本願では３種類の後処理を例にしてフローチャートを説明したが当然３種類に限る必要はない。
本願のように情報処理装置が、複数種類の後処理方法を指定した指示書（ジョブチケット）をお試し用に生成することで、ユーザは１回の指示で所望とする後処理を実際の出力結果から決定することが可能となり効率化を図れる。
さらに、後処理デバイスがお試し後処理を終了する前であっても、本番用の後処理を決定させるため、無駄な後処理が実行されるのを防ぐことが可能となる。
【００７２】
〔第１の後処理デバイスの処理の流れ〕
図１５は、第１の後処理デバイス１０４の処理の流れを説明したフローチャートである。
次に、図１５を用いて、後処理デバイスが、ジョブチケットを受信してから、お試し後処理を終了するまでの処理について説明する。
【００７３】
図１５の、ステップＳ１５０１で、後処理デバイス１０４は、情報処理装置１０２からジョブチケット受信すると、ステップＳ１５０２に進んで、第１の後処理デバイス１０４は、お試し後処理モードに移行する。なお、ステップＳ１５０１において受信するジョブチケットは、例えば図６に上述したジョブチケットである。後処理デバイスデバイス１０４は、受信したジョブチケットを解析することでお試し後処理モードに移行すべきか否かを決定する。
【００７４】
そして、ステップＳ１５０３、ステップＳ１５０４で、第１の後処理デバイス１０４は、お試し印刷物が移送されるのを待つ。お試し印刷物が、印刷デバイス１０３から出力され、後処理デバイスに移送されると、処理はステップＳ１５０５に進み、第１の後処理デバイス１０４は、ジョブチケットに記載された内容に従い、お試し後処理を開始する。具体的には、第１の後処理デバイス１０４は、図６の６０２の領域に記載された内容を解析することでお試し後処理を実行することが可能となる。
【００７５】
その後、第１の後処理デバイス１０４は、ステップＳ１５０７でお試し後処理が終了するまでの間、ステップＳ１５０６で印刷デバイス１０３から、お試し後処理中止命令が通知されたかを監視する。
【００７６】
ここで、第１の後処理デバイス１０４が、お試し後処理中止命令を受信すると、処理はステップＳ１５０６からステップＳ１５０９に移り、第１の後処理デバイス１０４は処理中の、お試し後処理を中止する。次に、ステップＳ１５１０で、お試し後処理モードを解除し、処理を終了する。
【００７７】
一方、ステップＳ１５０６の監視の結果、お試し後処理中止命令が通知されなかった場合、ステップＳ１５０７に進み、第１の後処理デバイス１０４は、お試し後処理を終了する。次に、ステップＳ１５０８で、お試し後処理が終了したことを印刷デバイス１０３に通知し、その後、ステップＳ１５１０で、お試し後処理モードを解除し、処理を終了する。
なお、図１５の主体を第１の後処理デバイス１０４としたが、お試し後処理用の印刷後処理機能を有していれば、第１の後処理デバイス１０４に限る必要はない。
【００７８】
〔第２の後処理デバイスの処理の流れ〕
図１６は、第２の後処理デバイス１０５の処理の流れを説明したフローチャートである。
次に、図１６を用いて、第２の後処理デバイス１０５が、本後処理用のジョブチケットを受信してから、本後処理を終了するまでの処理について説明する。
【００７９】
図１６の、ステップＳ１６０１で、印刷デバイス１０３により発行されたジョブチケットを受信すると、ステップＳ１６０２、ステップＳ１６０３で、第２の後処理デバイス１０５は、本印刷物が移送されるのを待つ。
【００８０】
そして、印刷デバイス１０３から本印刷物が出力され、第２の後処理デバイス１０５に移送されると、処理はステップＳ１６０４に進み、第２の後処理デバイス１０５は、本番用のジョブチケット（例えば図１１）に記載された内容に従い、本後処理を開始する。そして、ステップＳ１６０５で本後処理を終了すると、第２の後処理デバイス１０５は、本後処理が終了したことを情報処理装置１０２に通知し（ステップＳ１６０６）、処理を終了する。
なお、図１６の主体を第２の後処理デバイス１０５としたが、お試し後処理用の印刷後処理機能を有していれば、第２の後処理デバイス１０５に限る必要はない。
【００８１】
（第２の実施形態）
〔後処理機能を備えた印刷デバイスの使用例〕
上記第１の実施形態では、情報処理装置１０２、印刷デバイス１０３、第１の後処理デバイス１０４及び第２の後処理デバイス１０５により構成される画像形成システムで、印刷デバイス１０３が後処理機能を備えない場合の処理について説明した。もしくは、後処理機能を使用しない場合の処理について説明した。
【００８２】
しかしながら、他の実施形態では、後処理デバイス１０４、１０５の代わりに、印刷デバイス１０３の後処理機能を使用してもよい。もちろん、後処理デバイス１０４、１０５と印刷デバイス１０３の後処理機能を併用してもよい。
【００８３】
（第３の実施形態）
〔複数のお試し後処理を、１つの後処理デバイスで実施する場合の使用例〕
上記第１の実施形態では、ステイプル処理を３台の後処理デバイスで、お試し後処理する場合の例について説明した。しかしながら、他の実施形態では、複数段階を経て実施されるお試し後処理を１つの後処理デバイスで設定する例も想定される。
【００８４】
たとえば、お試し後処理設定画面において、印刷物をＺ折り処理した後に、ステイプル処理するという一連のお試し後処理を、第１の後処理デバイス１０４、及び第２の後処理デバイス１０５を用いて、２種類のお試し後処理として処理することも可能である。
【００８５】
（本発明に係る他の実施形態）
前述した本発明の実施形態における情報処理装置、印刷装置及び後処理装置を構成するプリント設定画面表示手段と、お試し後処理設定ＵＩ表示手段と、一括指定手段と、ジョブチケット生成手段と、ジョブチケット送付手段と、ドラフトID印刷手段と、本印刷で使用する後処理デバイス、後処理方法をユーザに指定させるようにする指定手段と、お試し後処理設定画面をコンソールに表示する表示手段と、お試し後処理情報テーブルを作成する作成手段と、お試し後処理設定画面で本後処理方法が確定された時に、お試し後処理を終了していないデバイスに対してお試し後処理中止命令を発行する発行手段、並びに情報処理装置の制御方法、印刷装置の制御方法及び後処理装置の制御方法の各ステップは、コンピュータのＲＡＭやＲＯＭなどに記憶されたプログラムが動作することによって実現できる。このプログラム及び前記プログラムを記録したコンピュータ読み取り可能な記憶媒体は本発明に含まれる。
【００８６】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００８７】
なお、本発明は、前述した実施形態の機能を実現するソフトウェアのプログラム（実施形態では図１３〜図１６に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００８８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００８９】
その場合、プログラムの機能を有していれば、オブジェクトコード、インタプリタにより実行されるプログラム、ＯＳに供給するスクリプトデータ等の形態であってもよい。
【００９０】
プログラムを供給するための記憶媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００９１】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記憶媒体にダウンロードすることによっても供給できる。
【００９２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００９３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００９４】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００９５】
さらに、記憶媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００９６】
【図１】本発明の第１実施形態の画像形成システムの構成を表したブロック図である。
【図２】情報処理装置が表示する、お試し印刷／後処理設定メイン画面を表した図である。
【図３】ステイプル位置指定画面例１を表した図である。
【図４】ステイプル位置指定画面例２を表した図である。
【図５】ステイプル位置指定画面例３を表した図である。
【図６】情報処理装置が送付ジョブチケットの一例を表し図である。
【図７】印刷デバイスが作成する、お試し後処理情報テーブルの一例を表した図である。
【図８】印刷デバイスが出力した、お試し印刷物の一例を表した図である。
【図９】印刷デバイスが表示する、お試し後処理確定画面例１を表した図である。
【図１０】印刷デバイスが表示する、お試し後処理確定画面例２を表した図である。
【図１１】印刷デバイスが生成する、本印刷／後処理のためのジョブチケットの一例を表した図である。
【図１２】各デバイスで実施される処理、及び各デバイス間の処理の遷移を表した、処理シーケンス図である。
【図１３】情報処理装置の処理の流れを説明したフローチャートである。
【図１４】印刷デバイスの処理の流れを説明したフローチャートである。
【図１５】後処理デバイスの処理の流れの第１の例を説明したフローチャートである。
【図１６】後処理デバイスの処理の流れの第２の例を説明したフローチャートである。
【符号の説明】
【００９７】
１０１  ネット-ワーク
１０２  情報処理装置
１０３  印刷デバイス
１０４  第１の後処理デバイス
１０５  第２の後処理デバイス
【図１】
2008152472.tif 000003
【図２】
2008152472.tif 000004
【図３】
2008152472.tif 000005
【図４】
2008152472.tif 000006
【図５】
2008152472.tif 000007
【図６】
2008152472.tif 000008
【図７】
2008152472.tif 000009
【図８】
2008152472.tif 000010
【図９】
2008152472.tif 000011
【図１０】
2008152472.tif 000012
【図１１】
2008152472.tif 000013
【図１２】
2008152472.tif 000014
【図１３】
2008152472.tif 000015
【図１４】
2008152472.tif 000016
【図１５】
2008152472.tif 000017
【図１６】
2008152472.tif 000018